(57)【要約】【課題】会議で立場の弱い者の意見を引き出すような会議運営を促進する。【解決手段】本装置は、出席者IDと当該出席者の、会議における立場の強弱レベルを示すデータと当該出席者の、会議における発言回数及び発言回数上限とを格納する管理テーブルと、発言者のIDと当該発言者の立場データと時刻とを時系列に格納する会議テーブルとを格納するデータ格納部と、発言者の出席者端末から、発言者のIDと当該発言者の発言データを受信し、発言者のIDと発言者の立場データと時刻とを会議テーブルに格納し、管理テーブルにおいて発言者の発言回数を1増加させる状態管理手段とを有する。そして状態管理手段は、今回の発言者の立場データが第1レベルを示し且つ直前の他の発言者の立場データが第1レベルより高いレベルを表すという条件を含む所定条件を満たすか否かを判断し、所定条件を満たす場合には、管理テーブルにおける直前の他の発言者の発言回数を減ずる。【選択図】図１
2010232887.tif 000002
【特許請求の範囲】
【請求項１】
出席者の識別子と当該出席者の、会議における立場の強弱レベルを示すデータと当該出席者の、前記会議における発言回数及び発言回数上限とを格納する管理テーブルと、発言者の識別子と当該発言者の立場を示すデータと時刻とを時系列に格納する会議進行テーブルとを格納する管理データ格納部と、
各出席者のための出席者端末のうち発言者のための出席者端末から、前記発言者の識別子と当該発言者が発言したことを表すデータを受信し、前記発言者の識別子に対応付けて前記管理テーブルに格納されている前記発言者の立場を表すデータを読み出し、前記発言者の識別子と前記発言者の立場を表すデータと時刻とを前記会議進行テーブルに格納すると共に、前記管理テーブルにおいて前記発言者の発言回数を１増加させる状態管理手段と、
を有し、
前記状態管理手段は、
前記会議進行テーブルにおいて格納されている、今回の発言者の立場を表すデータが第１のレベルを表すデータであり、且つ前記今回の発言者の直前の他の発言者について格納されている、当該直前の他の発言者の立場を表すデータが前記第１のレベルより高いレベルを表すデータであることを含む所定の条件を満たすか否かを判断し、
前記所定の条件を満たすと判断された場合には、前記管理テーブルにおける前記直前の他の発言者の前記発言回数を減ずる
会議管理装置。
【請求項２】
前記所定の条件が、前記今回の発言者の今回の合計発言時間又は前記今回の発言者の今回の合計発言時間及び前記直前の他の発言者の発言時間が所定の時間より長いという条件を含む
請求項１記載の会議管理装置。
【請求項３】
前記管理テーブルには、前記出席者の識別子に対応付けて出席者名をさらに格納しており、
前記発言者のための出席者端末から受信した前記発言したことを表すデータに含まれる音声データに対して音声認識処理を実施し、音声認識処理結果を前記管理データ格納部に格納する音声認識処理手段
をさらに有し、
前記所定の条件が、前記直前の他の発言者についての音声認識処理結果中に前記今回の発言者の識別子に対応付けて前記管理テーブルに格納されている発言者名の少なくとも一部が含まれているという条件を含む
請求項１又は２記載の会議管理装置。
【請求項４】
前記状態管理手段は、
前記出席者端末から、前記発言者の発言の目的を表すデータをさらに受信した場合、前記会議進行テーブルに前記発言者の識別子に対応付けて前記発言の目的を表すデータを格納し、
前記所定の条件が、
前記直前の他の発言者についての前記発言の目的を表すデータが前記今回の発言者の発言を促すことを表すデータであり、前記今回の発言者についての前記発言の目的を表すデータが回答であることを示すデータであるという条件を含む
請求項１乃至３のいずれか１つ記載の会議管理装置。
【請求項５】
前記状態管理手段が、
前記管理テーブルにおいて前記立場を表すデータとして相対的に弱い立場を表すデータが格納されている出席者の前記出席者端末から前記会議における発言について賛否を表すデータを受信した場合、反対を表すデータ又は賛成を表すデータを送信してきた出席者端末の数を計数し、履歴データ格納部に格納し、
前記所定の条件を満たすと判断された場合、前記履歴データ格納部に格納されている前記反対を表すデータを送信してきた出席者端末の最近の数がそれ以前の数より減少している又は前記履歴データ格納部に格納されている前記賛成を表すデータを送信してきた出席者端末の最近の数がそれ以前の数より増加しているか判断し、
前記反対を表すデータを送信してきた出席者端末の最近の数がそれ以前の数より減少している又は前記履歴データ格納部に格納されている前記賛成を表すデータを送信してきた出席者端末の最近の数がそれ以前の数より増加していると判断した場合、
前記管理テーブルにおける前記直前の他の発言者の前記発言回数を減ずる又は前記発言回数上限を増加させる
請求項１乃至４のいずれか１つ記載の会議管理装置。
【請求項６】
前記状態管理手段が、
前記管理テーブルにおいて前記立場を表すデータとして相対的に弱い立場を表すデータが格納されている出席者の前記出席者端末から前記会議における発言について賛否を表すデータを受信し、
反対を表すデータを送信してきた出席者端末の数が多数である場合又は賛成を表すデータを送信してきた出席者端末の数が少数である場合、
前記管理テーブルにおいて前記立場を表すデータとして相対的に強い立場を表すデータが格納されている出席者の前記出席者端末に、発言を控えるように促すメッセージを表示させること、前記管理テーブルにおいて前記立場を表すデータとして相対的に弱い立場を表すデータが格納されている出席者の前記出席者端末に、発言を促すメッセージを表示させることのうち少なくともいずれかを実施する
請求項１乃至５のいずれか１つ記載の会議管理装置。
【請求項７】
出席者の識別子と当該出席者の、会議における立場の強弱レベルを示すデータと当該出席者の、前記会議における発言回数及び発言回数上限とを格納する管理テーブルと、発言者の識別子と当該発言者の立場を示すデータと時刻とを時系列に格納する会議進行テーブルとを格納する管理データ格納部にアクセス可能なコンピュータにより実行される会議管理方法であって、
各出席者のための出席者端末のうち発言者のための出席者端末から、前記発言者の識別子と当該発言者が発言したことを表すデータを受信し、前記発言者の識別子に対応付けて前記管理テーブルに格納されている前記発言者の立場を表すデータを読み出し、前記発言者の識別子と前記発言者の立場を表すデータと時刻とを前記会議進行テーブルに格納すると共に、前記管理テーブルにおいて前記発言者の発言回数を１増加させるステップと、
前記会議進行テーブルにおいて格納されている、今回の発言者の立場を表すデータが第１のレベルを表すデータであり、且つ前記今回の発言者の直前の他の発言者について格納されている、当該直前の他の発言者の立場を表すデータが前記第１のレベルより高いレベルを表すデータであることを含む所定の条件を満たすか否かを判断するステップと、
前記所定の条件を満たすと判断された場合には、前記管理テーブルにおける前記直前の他の発言者の前記発言回数を減ずるステップと、
を含む会議管理方法。
【請求項８】
出席者の識別子と当該出席者の、会議における立場の強弱レベルを示すデータと当該出席者の、前記会議における発言回数及び発言回数上限とを格納する管理テーブルと、発言者の識別子と当該発言者の立場を示すデータと時刻とを時系列に格納する会議進行テーブルとを格納する管理データ格納部にアクセス可能なコンピュータに、
各出席者のための出席者端末のうち発言者のための出席者端末から、前記発言者の識別子と当該発言者が発言したことを表すデータを受信し、前記発言者の識別子に対応付けて前記管理テーブルに格納されている前記発言者の立場を表すデータを読み出し、前記発言者の識別子と前記発言者の立場を表すデータと時刻とを前記会議進行テーブルに格納すると共に、前記管理テーブルにおいて前記発言者の発言回数を１増加させるステップと、
前記会議進行テーブルにおいて格納されている、今回の発言者の立場を表すデータが第１のレベルを表すデータであり、且つ前記今回の発言者の直前の他の発言者について格納されている、当該直前の他の発言者の立場を表すデータが前記第１のレベルより高いレベルを表すデータであることを含む所定の条件を満たすか否かを判断するステップと、
前記所定の条件を満たすと判断された場合には、前記管理テーブルにおける前記直前の他の発言者の前記発言回数を減ずるステップと、
を実行させるための会議管理プログラム。
【発明の詳細な説明】
【技術分野】
【０００１】
本技術は、会議の運営を支援及び管理するための技術に関する。
【背景技術】
【０００２】
企業等では様々な会議が行われているが、出席者の議論に基づき意思決定を行って、会議終了後その意思決定の結果を関係各部署へ伝達し、意思決定に沿った施策を実施するのが通常である。しかしながら、会議の運営に問題があるため、出席者の総意が会議の結論に反映されず、そのため関係各部署でも結論に沿った施策が適切に実施されないという問題がある。
【０００３】
一方で、従来から会議の運営を支援する技術は存在している。例えば、開催中の会議の出席者のうち次の発言者を決定させるために、会議の残り時間と会議の総発言数を算出し、会議の残り時間及び総発言数に基づき、発言者選定テーブルから、指名すべき出席者の条件を決定し、会議の出席者の属性情報から、決定した選定条件に合致する出席者を次の発言者として決定するものがある。しかしながら、他の出席者の発言を促すような発言については考慮されていない。
【０００４】
また、発言の多い参加者には発言機会を少なく、少ない参加者には発言回数を多くするような工夫についても既に存在しているが、他の出席者の発言を促すような発言の取り扱いについては考慮されていない。
【０００５】
さらに、会議を円滑に進めるために、優先度に基づいて会議参加者に発言権を順次付与する従来技術も存在する。優先度は、会議参加者の属性（社会的地位、職位、専門分野など）、発言累積時間、発言回数、前回発言時刻、固定値、発言要求レベルの１つまたは複数の組み合わせを変数とする関数によって計算されるものである。しかしながら、他の出席者の発言を促すような発言については、考慮されていない。
【先行技術文献】
【特許文献】
【０００６】
【特許文献１】特開２００６−３４５２５０号公報
【特許文献２】特開平２−０６７８５８号公報
【特許文献３】特開平８−２７４８８８号公報
【発明の概要】
【発明が解決しようとする課題】
【０００７】
上で述べたように、会議を行って一応の結論を得たにもかかわらず、会議の結論による士気の低下や会議の結論に対する無関心、結論で示されている方針の無視や反発が起こる背景には、会議における決定事項や指示の曖昧さや納得不足がある。
【０００８】
特に納得不足については、会議の出席者のうち、立場が強い者が独断で決定を行ってしまい、課題や対策に詳しい人や施策実行の担当者は立場が弱く意見を言い辛い、といった会議運営と関係がある。しかしながら、従来技術では、会議において立場の弱い者の発言を促して、立場の弱い者の意見をできるだけ結論に反映させようとする会議運営上の努力については考慮されていない。そのため、従来技術を導入しても上で述べたような問題を改善するようにならない。
【０００９】
従って、本技術の目的は、会議において立場の弱い者の意見を引き出すような会議運営が促進されるようにすることである。
【課題を解決するための手段】
【００１０】
本会議管理装置は、出席者の識別子と当該出席者の、会議における立場の強弱レベルを示すデータと当該出席者の、会議における発言回数及び発言回数上限とを格納する管理テーブルと、発言者の識別子と当該発言者の立場を示すデータと時刻とを時系列に格納する会議進行テーブルとを格納する管理データ格納部と、各出席者のための出席者端末のうち発言者のための出席者端末から、発言者の識別子と当該発言者が発言したことを表すデータを受信し、発言者の識別子に対応付けて管理テーブルに格納されている発言者の立場を表すデータを読み出し、発言者の識別子と発言者の立場を表すデータと時刻とを会議進行テーブルに格納すると共に、管理テーブルにおいて発言者の発言回数を１増加させる状態管理手段とを有する。そして、上で述べた状態管理手段は、会議進行テーブルにおいて格納されている、今回の発言者の立場を表すデータが第１のレベルを表すデータであり、且つ今回の発言者の直前の他の発言者について格納されている、当該直前の他の発言者の立場を表すデータが第１のレベルより高いレベルを表すデータであることを含む所定の条件を満たすか否かを判断し、上記所定の条件を満たすと判断された場合には、管理テーブルにおける直前の他の発言者の発言回数を減ずるものである。
【発明の効果】
【００１１】
会議において立場の弱い者の意見を引き出すような会議運営が促進されるようになる。
【図面の簡単な説明】
【００１２】
【図１】図１は、システム概要を示す図である。
【図２】図２は、会議支援サーバの機能ブロック図である。
【図３】図３は、実施の形態におけるメインの処理フローを示す図である。
【図４】図４は、初期処理の処理フローを示す図である。
【図５】図５は、管理テーブルの一例を示す図である。
【図６】図６は、役職換算テーブルの一例を示す図である。
【図７】図７は、職務換算テーブルの一例を示す図である。
【図８】図８は、立場の判定値と発言回数の上限値との対応テーブルの一例を示す図である。
【図９】図９は、出席者端末の画面表示例を示す図である。
【図１０】図１０は、会議進行テーブルの一例を示す図である。
【図１１】図１１は、発言カウンタ調整処理の処理フローを示す図である。
【図１２Ａ】図１２Ａは、メインの処理フローを示す図である。
【図１２Ｂ】図１２Ｂは、反対者数履歴テーブルの一例を示す図である。
【図１３】図１３は、調整処理の処理フローを示す図である。
【図１４】図１４は、コンピュータの機能ブロック図である。
【発明を実施するための形態】
【００１３】
図１に本技術の実施の形態のシステム概要図を示す。例えば有線又は無線のＬＡＮ（Local Area Network）であるネットワーク１には、複数の出席者端末５（図では５ａ乃至５ｄ）と、本実施の形態において主要な処理を実施する会議支援サーバ３とが接続されている。出席者端末５は、例えば会議室に設置されているものであるか、又は出席者が各自会議室に持参する例えばパーソナルコンピュータである。本実施の形態では、各出席者端末５にはマイク６（図１では６ａ乃至６ｄ）が接続されているものとする。また、出席者端末５では、会議支援クライアント・プログラム５１が実行されており、このプログラム５１により、出席者端末５には、出席者に対して各種情報を出力すると共にユーザからの入力を受け付けるユーザインタフェース部５１１と、出席者端末５のマイク６から出席者の発言に係る音声データを取得する音声データ取得部５１３と、会議支援サーバ３とデータ通信を行う通信部５１５とが実現される。なお、音声データ取得部５１３は、音声認識処理部を有する場合もある。
【００１４】
図２に会議支援サーバ３の機能ブロック図を示す。会議支援サーバ３は、出席者端末５から送信されてくるデータを受信すると共に必要なデータを出席者端末５に送信する通信処理部３１と、会議及び当該会議の出席者についてのデータを格納する管理データ格納部３７と、通信処理部３１から受信したデータに基づき管理データ格納部３７に格納されているデータを更新し、必要な場合には通信処理部３１に出席者端末５に対してデータを送信するように要求する状態管理部３３と、状態管理部３３からの要求に応じて出席者端末５から受信した、出席者の発言に係る音声データに対して周知の音声認識処理を実施する音声認識処理部３５とを有する。
【００１５】
次に、図１及び図２に示したシステムの処理内容について図３乃至図１３を用いて説明する。まず、会議を開始する前に、初期処理を実施する（図３：ステップＳ１）。この初期処理については、図４を用いて説明する。
【００１６】
まず、会議の管理者は、出席者端末５を操作して、出席者名及び出席者ＩＤ（例えば社員ＩＤ）のリストを入力する。出席者端末５のユーザインタフェース部５１１は、会議の管理者から出席者名及び出席者ＩＤのリストの入力を受け付け、通信部５１５に会議支援サーバ３へ送信させる。会議支援サーバ３の通信処理部３１は、出席者端末５から出席者名及び出席者ＩＤのリストを受信し、状態管理部３３に出力する。状態管理部３３は、出席者名及び出席者ＩＤのリストを取得すると、管理データ格納部３７に管理テーブルを生成して登録する（ステップＳ２１）。
【００１７】
管理テーブルの一例を図５に示す。図５の例では、出席者ＩＤと、出席者名と、属性と、立場の判定値と、立場の強弱と、順位と、発言カウンタと、発言回数の上限値とが登録されるようになっている。ステップＳ２１では、出席者ＩＤ及び出席者名の列にデータが登録される。なお、発言カウンタは、実際に会議が始まった後に、発言を検出する毎にカウントアップされる。
【００１８】
次に、状態管理部３３は、通信処理部３１に対して、例えばネットワーク１に接続するＤＢサーバなど（図示せず）から、出席者の所定属性の属性値を取得させる（ステップＳ２３）。例えばＤＢサーバなどが、出席者の役職名、職務名及び会議における過去の意思決定回数などを管理するデータベースを保持している場合には、各出席者についてこのようなデータを取得する。また、出席者ＩＤ及び出席者名と同様に、会議の管理者が入力するようにしても良い。さらに管理データ格納部３７においてこのようなデータについても管理するようにしても良い。状態管理部３３は、出席者の役職名及び職務名を取得すると、役職名については図６に示すような役職換算テーブルから役職名に対応する役職値を読み出し、職務名については図７に示すような職務換算テーブルから職務名に対応する職務値を読み出し、管理テーブルに登録する。役職換算テーブル及び職務換算テーブルについては例えば管理データ格納部３７に用意しておく。過去の意思決定回数については、そのまま管理テーブルに登録する。
【００１９】
そして、状態管理部３３は、出席者の属性データから立場の判定値を算出し、当該立場の判定値でソートする（ステップＳ２５）。本実施の形態では、立場の判定値については、以下の式で算出する。
Ａ＊役職値＋Ｂ＊職務値＋Ｃ＊過去の意思決定回数＋Ｄ
なお、Ａ乃至Ｄについては予め定められた係数である。例えば、Ａ＝１、Ｂ＝１、Ｃ＝１、Ｄ＝５で計算した例を図５の管理テーブルでは示している。また、ソートについては、例えば立場の判定値の降順で実施する。このステップで管理テーブルの順位の列に強い順に順位付けがなされる。
【００２０】
その後、状態管理部３３は、管理テーブルにおいて、順位の降順に、出席者の半数の順位までを弱者グループ（すなわち立場が弱い出席者のグループ）に設定し、残余の出席者を強者グループ（すなわち立場が強い出席者のグループ）に設定する（ステップＳ２７）。出席者数が奇数の場合には、過半数は弱者グループになるように設定する。このステップにより管理テーブルの立場の強弱の列に「強」又は「弱」が登録される。
【００２１】
そして、状態管理部３３は、管理テーブルにおいて、立場の判定値に応じた発言回数上限値を設定する（ステップＳ２９）。例えば図８に示すような立場の判定値と発言回数の上限値との対応テーブルを用意しておき、各出席者について立場の判定値に従って発言回数の上限値を特定して、管理テーブルにおいて、対応するレコードに登録する。なお、テーブルではなく、算出式を用意して発言回数の上限値を算出するようにしても良い。
【００２２】
以上のような処理を実施することによって、以下で説明する処理の前処理が完了することになる。
【００２３】
なお、各出席者端末５では、操作者たる出席者が、ユーザインタフェース部５１１に対して出席者ＩＤを入力しておく。
【００２４】
また、出席者端末５のユーザインタフェース部５１１は、例えば図９に示すような画面を表示して、発言に際して出席者に入力を求める。具体的には、表示欄９０１に示されている種別のうち該当するものを選択すると共に、機能のうち該当するものを選択する。本実施の形態では、発言の種別には、「質問」、「回答」及び「その他」が設定されており、これらのいずれかをクリックする。さらに、発言の機能には、「説明」、「賛同」、「意見」、「さえぎり」、「促し」、「その他」が設定されており、これらのいずれかをクリックする。
【００２５】
なお、表示欄９０１については、発言しつつ入力するのが難しい場合もあるので、ファシリテータ役の出席者が入力するようにしても良い。その場合には、ファシリテータ役の出席者用の出席者端末５のユーザインタフェース部５１１は、特別に例えば発言者の出席者ＩＤと発言種別及び発言機能とを組み合わせて入力できるようにして、ユーザインタフェース部５１１が入力を受け付けると通信部５１５に出力し、通信部５１５から会議支援サーバ３に送信する。そして、会議支援サーバ３の状態管理部３３は、出席者ＩＤと発言種別及び発言機能と、発言者の出席者端末５から受信した出席者ＩＤと音声データなどとを結び付けて、会議進行テーブルに登録する。
【００２６】
また、表示欄９０２に示すように、本実施の形態では、弱者グループの出席者については、会議の発言について賛否を入力するようになっている。具体的には、各発言中又は発言後に、「賛成」と「反対」のいずれかをクリックする。
【００２７】
クリックの結果は、ユーザインタフェース部５１１から通信部５１５を介して会議支援サーバ３に送信される。
【００２８】
さらに、表示欄９０３及び９０４には、発言カウンタと発言回数の上限値との関係や会議の発言についての賛否の状態から、該当する表示が行われる。例えば発言カウンタの値が発言回数の上限に達した場合には、会議支援サーバ３からの指示に応じて「発言を控えてください」が表示されるようになっている。一方、例えば弱者グループに属する出席者のうち反対者が弱者グループの過半を超えている場合には、弱者グループの出席者には、会議支援サーバ３からの指示に応じて「発言してください」といった表示が行われるようになっている。なお、会議支援サーバ３からは、具体的なメッセージの内容が送信される場合もあれば、メッセージＩＤが送られてきて出席者端末５のユーザインタフェース部５１１が対応するメッセージを表示するようにしても良い。さらに、表示欄９０３及び９０４に分けられている場合には、いずれをオンにするかのみ指定されても、表示可能である。
【００２９】
図３の処理の説明に戻って、会議が始まると、各出席者端末５の音声データ取得部５１３は、当該出席者端末５の操作者たる出席者の発言を検出すると、音声データを生成して、通信部５１５に出力する。音声データ取得部５１３は、本出席者端末５の操作者たる出席者の発言のみを検出するように、予めその出席者の音声などを登録しておいても良い。また、音声データ取得部５１３は、発言開始時刻（又は発言開始時刻及び発言終了時刻）を計測して、通信部５１５に出力して音声データと共に会議支援サーバ３へ送信させる。
【００３０】
さらに、ユーザインタフェース部５１１は、図９に示したような画面から、発言種別及び発言機能の該当するボタンのクリックを受け付け、選択された発言種別及び発言機能の識別子を通信部５１５に出力する。上でも述べたが、発言種別及び発言機能の識別子については、ファシリテータ役の出席者が存在する場合には当該ファシリテータ役の出席者の出席者端末５から、発言者の出席者ＩＤと共に送信される。
【００３１】
そして、出席者端末５の通信部５１５は、例えば発言終了時に、出席者ＩＤ、発言開始時刻、音声データ並びに音声種別及び音声機能の識別子（ＩＤ）を、発言が行われたことを表すデータとして会議支援サーバ３に送信する。なお、音声データに対して出席者端末５で音声認識処理を実施して、音声テキストデータを会議支援サーバ３に送信するようにしても良い。これによりネットワーク１の通信負荷及び会議支援サーバ３の処理負荷を削減できる。
【００３２】
これに対して、会議支援サーバ３の通信処理部３１は、出席者端末５から、出席者ＩＤ、発言開始時刻、音声データ並びに音声種別及び音声機能の識別子を受信し、状態管理部３３に出力する。状態管理部３３は、このようなデータを受け取ると、音声データについては音声認識処理部３５に周知の音声認識処理を実施させると共に音声認識結果を受け取り、他のデータと共に管理データ格納部３７における会議進行テーブルに登録する（ステップＳ３）。
【００３３】
会議進行テーブルの一例を図１０に示す。図１０の例では、発言開始時刻と、管理テーブルから出席者ＩＤで特定される発言者名と、管理テーブルから出席者ＩＤで特定される発言者の立場（「強」又は「弱」）と、発言種別と、発言機能と、音声認識結果である発言内容とが登録されるようになっている。なお、パターンＡ乃至Ｃについては、以下の説明で用いるための参考データである。図１０の例において、発言者に「課長」といった役職名を表示しているが、これも以下の説明のためであって、実際には出席者ＩＤ又は出席者名が登録される。
【００３４】
また、状態管理部３３は、管理テーブルにおいて、受信した出席者ＩＤに対応する発言カウンタを１インクリメントする（ステップＳ５）。さらに、発言カウンタ調整処理を実施する（ステップＳ７）。この発言カウンタ調整処理については、図１１を用いて説明する。
【００３５】
本発言カウンタ調整処理では、原則として、強者グループに属する発言者が、弱者グループに属する出席者に発言を促すような発言を行って、それに応じて弱者グループに属する出席者が発言者として発言した場合には、強者グループに属する発言者の発言カウンタを減ずるものである。このように、強者グループに属する出席者が、一方的に結論を押しつけるような形ではなく、弱者グループに属する出席者に発言、そして意見の表明を行うように促して、可能な限り会議の結論に弱者グループの意見などを反映させるようにして、強者からの押しつけではなく弱者グループに属する出席者に会議の結論に対する納得感を与えるような会議運営を促進するものである。
【００３６】
まず、状態管理部３３は、今回の発言者は、弱者グループ所属の出席者であるか判断する（ステップＳ３１）。今回の発言者が弱者グループに属する出席者でない場合には、処理の対象外であり、元の処理に戻る。一方、今回の発言者が、弱者グループに属する出席者である場合には、直前の他の発言者が強者グループに属する出席者であるか判断する（ステップＳ３３）。なお、同じ発言者が、短い間（「ま」）をもって連続して発言する場合がある。このように、前後の発言が同じ発言者によるものであれば、間については連結して判断して、直前の他の発言者が誰であるかを確認する。例えば図１０の例では、９：２５以降にＭ氏が４回に分けて発言しているが、これらの発言の間には短い間が存在していることを意味する。従って、これらの間については連結して直前の他の発言者は、Ｕ課長となる。
【００３７】
直前の他の発言者が弱者グループに属する場合には、処理の対象外なので元の処理に戻る。一方、直前の他の発言者が強者グループに属する場合には、状態管理部３３は、付随条件を満たすか判断する（ステップＳ３５）。付随条件には、例えば３つのパターンが存在する。
【００３８】
パターンＡの条件は、先に発言した強者グループに属する発言者の発言種別及び発言機能の組み合わせと、後に発言した弱者グループに属する発言者の発言種別及び発言機能の組み合わせのシーケンスが、予め定められたパターンであるという条件を含む。例えば、先に発言した強者グループに属する発言者の発言種別が「質問」であり、後に発言した弱者グループに属する発言者の発言種別が「回答」であり且つ発言機能が「意見」である場合に、この条件を満たすものとする。このようなパターンＡを採用すると、図１０の例では、９：２１におけるＵ課長の発言と９：２５以降のＭ氏の発言が、このパターンＡに該当すると判定される。また、９：４５におけるＫ氏の発言と９：４６のＭ氏の発言も、このパターンＡに該当すると判定される。但し、８：４０のＫＮ課長の発言と８：４４のＭ氏の発言は、Ｍ氏の発言種別が条件に合致しておらず、同様に８：５７のＫＮ課長の発言と９：０１のＭ氏の発言も発言種別が条件に合致していないと判断される。図１０のパターンＡの列では、このように条件に合致している場合には「有」が登録されている。なお、発言種別及び発言機能についての他の組み合わせのシーケンスを条件にしてもよい。
【００３９】
パターンＢの条件は、発言時間に着目した条件である。例えば、先に発言した強者グループに属する発言者の発言時間が、所定の閾値未満であれば、その前の発言に対して相づちを打っただけとも判断できる。従って、弱者グループに属する出席者に発言を促したわけではないと判断して、条件を満たさないとする。さらに、後に発言した弱者グループに属する発言者の発言時間が、別の閾値未満であれば、これも、強者グループに属する出席者が、弱者グループの出席者に発言を促していたとしても、その試みが成功したとはいえない。但し、図１０の９：２５からのＭ氏の発言のように、間を空けて連続して発言している場合には、連結して判断しても良い。図１０の例では、ステップＳ３１及びＳ３３の条件を満たす部分が４カ所存在しているが、そのいずれも発言時間の条件は満たしているものとして、図１０では「有」と登録されている。なお、発言時間については、発言開始時間と次の発言開始時間との差を用いるようにしても良いし、音声認識処理をする際に実際の発言時間も特定できるので、図１０には示していないが、その発言時間を用いるようにしても良い。さらに、発言者の出席者端末５から発言開始時刻及び発言終了時刻を受信する場合には、その差を用いても良い。
【００４０】
パターンＣの条件は、先に発言した強者グループの発言者の発言内容に、弱者グループの出席者の名前の少なくとも一部が含まれているというものである。図１０の例では、９：２１のＵ課長の発言には「Ｍさん」（「さん」は図１０でわかりやすくするために付加的に示しているだけである）という弱者グループに属する出席者の名前が含まれている。このような場合には、意図的にＭ氏に話を振っていると推定されるので、このようなパターンＣに合致する場合には、付随条件を満たしたと判断する。なお、名前ではなく、役職名などで呼ぶ場合もあるので、予め強者グループの発言者の発言内容から抽出すべき単語を指定しておくようにしても良い。
【００４１】
以上のような付随条件を満たしていないと判断された場合には元の処理に戻る。一方、付随条件を満たしたと判断される場合には、状態管理部３３は、管理テーブルにおいて、直前の他の発言者の発言カウンタを１減ずる（ステップＳ３７）。このようにすれば、強者グループに属する出席者が、弱者グループに属する出席者に対して発言を促す発言をしても、発言カウンタが増加しないようになるので、自らの発言チャンスを失うという恐れなしに弱者グループに属する出席者に発言を促すことができる。すなわち、弱者グループに属する出席者の発言が増加し、不満やストレスなどが弱者グループに属する出席者になるべく残らないように、会議を進行させることができるようになる。
【００４２】
図３の処理の説明に戻って、状態管理部３３は、管理テーブルにおいて、今回の発言者の発言カウンタの値が、発言回数上限以上であるか判断する（ステップＳ９）。今回の発言者の発言カウンタの値が、発言回数上限以上である場合には、今回の発言者の発言を抑制すべく、今回の発言者の出席者端末５に対して「傾聴」サインを表示させるための命令を、通信処理部３１に送信させる（ステップＳ１１）。今回の発言者の出席者端末５の通信部５１５は、会議支援サーバ３から「傾聴」サインを表示させるための命令を受信すると、ユーザインタフェース部５１１に出力し、ユーザインタフェース部５１１は、例えば図９の表示欄９０３の表示を行う。場合によってはマイク６をオフに設定するなどの処置を行う場合もある。その後、端子Ａを介して図１２Ａの処理に移行する。
【００４３】
一方、今回の発言者の発言カウンタの値が、発言回数上限未満である場合には、端子Ａを介して図１２Ａの処理に移行する。
【００４４】
図１２Ａの処理の説明に移行して、例えば、ある発言者が発言している間、又は発言の後、弱者グループに属する出席者は、出席者端末５の表示画面（図９）の表示欄９０２に示されている賛成又は反対のボタンをクリックする。出席者端末５のユーザインタフェース部５１１は、賛成又は反対の選択入力を受け付け、通信部５１５に賛成又は反対を表す意思表示データを会議支援サーバ３へ送信させる。以下ステップＳ４９まで弱者グループについての処理となっているが、出席者全員についての処理としても良い。
【００４５】
会議支援サーバ３の通信処理部３１は、弱者グループに属する出席者の出席者端末５から、賛成又は反対の意思表示データを受信し、状態管理部３３に出力する。状態管理部３３は、賛成又は反対の意思表示データを受け取り、反対を表明した出席者の数を計数し、管理データ格納部３７の反対者数履歴テーブルに登録する（ステップＳ４１）。反対者数履歴テーブルの一例を図１２Ｂに示す。図１２Ｂの例では、反対者数の計数履歴が登録されている。
【００４６】
そして、状態管理部３３は、発言カウンタ調整の条件（すなわちステップＳ３１乃至Ｓ３５の条件）を満たしていたか判断する（ステップＳ４３）。例えばステップＳ３１乃至Ｓ３５の条件を満たしてステップＳ３７が実施された場合に、フラグをオンにセットしておき、本ステップではこのフラグがオンにセットされているか判断する。発言カウンタ調整の条件を満たしていると判断された場合には、調整処理を実施する（ステップＳ４５）。この調整処理については、図１３を用いて説明する。なお、ステップＳ４５の後、処理はステップＳ４７に移行する。
【００４７】
調整処理においてまず、状態管理部３３は、直前の反対者数より今回の反対者数の方が減少しているか判断する（ステップＳ６１）。直前の反対者数より今回の反対者数が減少している場合には、強者グループに属する発言者が弱者グループに属する出席者へ発言を促し、実際にこの促しにより弱者グループに属する出席者により発言が行われたことによって、会議の発言に対する賛同が増えた（ここでは消極的に反対者が減った）ことになるので、実際に効果があったことが認められる。従って、管理テーブルにおいて、直前の他の発言者の発言カウンタの値を１減ずる（ステップＳ６３）。そして元の処理に戻る。
【００４８】
一方、直前の反対者数より今回の反対者数の方が減少しているとは言えない場合には、元の処理に戻る。
【００４９】
なお、ステップＳ６３では発言カウンタの値を１減ずるようにしたが、会議の発言に対する賛同が増えた（反対者が減った）のでより効果を認めて、発言回数の上限値を増加させるようにしても良い。さらに、発言カウンタの値を「１」ではなく「２」といったように多くの数減少させるようにしても良い。
【００５０】
さらに、出席者全員から賛成又は反対を表す意思表示データを収集して、出席者全員から反対者の数を計数して、反対者数履歴テーブルに登録するようにしても良い。さらに、賛同者の数を計数して、賛成者履歴テーブルに登録し、賛成者が増加したか判断するようにしても良い。
【００５１】
図１２Ａの処理の説明に戻って、会議支援サーバ３の状態管理部３３は、反対者数が所定の条件を満たしたか判断する（ステップＳ４７）。具体的には、反対者数が弱者グループに属する出席者の過半数となっているか判断する。反対者数が弱者グループに属する出席者の数の半数に達していない場合には、ステップＳ５１に移行する。反対者数が弱者グループに属する出席者の過半数となっている場合には、弱者グループに属する出席者による発言をより促進して、可能な限り会議の結論に弱者グループに属する出席者の意見が反映されるようにしなければならない。従って、状態管理部３３は、弱者グループに属する出席者の出席者端末５に「発言」を促す表示を行うように、通信処理部３１に指示を出力すると共に、強者グループに属する出席者の出席者端末５に「傾聴」を促す表示を行うように、通信処理部３１に指示を出力する（ステップＳ４９）。具体的には、弱者グループに属する出席者の出席者端末５には、図９の表示欄９０４に表示がなされる。一方、強者グループに属する出席者の出席者端末５には、図９の表示欄９０３に表示がなされる。その後、処理はステップＳ５１に移行する。
【００５２】
そして、ステップＳ５１では、状態管理部３３は、処理終了、すなわち会議が終了であるか判断する。なお、例えば所定時間以上無音である場合や明示的にいずれかの出席者端末５から終了が指示された場合、又は１台も出席者端末５が稼働していない場合には、処理終了と判断し処理を終了する。一方、処理終了ではない場合には端子Ｂを介して図３のステップＳ３に戻る。
【００５３】
以上のような処理を実施することによって、強者グループに属する出席者が、不利益なく、弱者グループに属する出席者に意見を表明する機会を与えるような会議運営を促すことができるようになる。これによって、強者の主張を弱者グループに属する出席者に押しつけるようにして弱者グループに属する出席者に不満などを残すことを避け、可能な限り会議の結論に、弱者グループに属する出席者の意見を反映させることができるようになる。
【００５４】
以上本技術の実施の形態を説明したが、本技術はこれに限定されるものではない。例えば、図１及び図２の機能ブロック図は一例であって、必ずしも実際のプログラムモジュール構成と一致しない場合もある。また、出席者端末５は、一般的なパーソナルコンピュータではなく、専用の端末装置を作成するようにしても良い。
【００５５】
立場については、強弱だけではなく３レベル以上設定するようにしても良い。
【００５６】
さらに、パターンＡ乃至Ｃという付随条件の例を示したが、任意に組み合わせて付随条件としても良い。
【００５７】
なお、上で述べた処理では説明を省略していたが、通信処理部３１は、出席者ＩＤと、出席者端末５のアドレスとの対応関係についても管理している。
【００５８】
さらに、上で述べた処理フローも機能を網羅するように時系列に各ステップを並べたものであり、例えば初期処理、発言カウンタの管理、賛成又は反対の意思表示データなどの処理を別スレッドで行うようにしても良い。特に賛成又は反対の意思表示データの集計については、集計タイミングを上の例では発言のデータを受信する毎に実施するようにしていたが、他のタイミングを採用しても良い。
【００５９】
さらに、賛成又は反対の意思表示データについて、図９の例では表示欄９０２のボタンを用いる例を示したが、例えば表示欄９０１のボタン（例えば「賛同」ボタン）を用いるようにしても良い。但し、発言時に用いるボタンとは区別する方が、出席者にとっても分かりやすいことが多いと考えられる。さらに、賛成と反対だけではなく、懸念有りといったようなやや否定的なレベルの意思表示を可能にしたり、例えば賛成から反対までのレベルを複数設定していずれかを指示することができるようにしてもよい。
【００６０】
また、図９のような表示画面は一例であって、様々な変形が可能である。
【００６１】
なお、上で述べた会議支援サーバ３及び出席者端末５は、コンピュータ装置であって、図１４に示すように、メモリ２５０１とＣＰＵ２５０３とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。本技術の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及び必要なアプリケーション・プログラムとが有機的に協働することにより、上で述べたような各種機能を実現する。
【００６２】
以上本実施の形態をまとめると以下のようになる。
【００６３】
本会議管理装置は、出席者の識別子と当該出席者の、会議における立場の強弱レベルを示すデータと当該出席者の、会議における発言回数及び発言回数上限とを格納する管理テーブルと、発言者の識別子と当該発言者の立場を示すデータと時刻とを時系列に格納する会議進行テーブルとを格納する管理データ格納部と、各出席者のための出席者端末のうち発言者のための出席者端末から、発言者の識別子と当該発言者が発言したことを表すデータを受信し、発言者の識別子に対応付けて管理テーブルに格納されている発言者の立場を表すデータを読み出し、発言者の識別子と発言者の立場を表すデータと時刻とを会議進行テーブルに格納すると共に、管理テーブルにおいて発言者の発言回数を１増加させる状態管理手段とを有する。そして、上で述べた状態管理手段は、会議進行テーブルにおいて格納されている、今回の発言者の立場を表すデータが第１のレベルを表すデータであり、且つ今回の発言者の直前の他の発言者について格納されている、当該直前の他の発言者の立場を表すデータが第１のレベルより高いレベルを表すデータであることを含む所定の条件を満たすか否かを判断し、上記所定の条件を満たすと判断された場合には、管理テーブルにおける直前の他の発言者の発言回数を減ずるものである。
【００６４】
このように会議において強い立場の発言者によって促されたため弱い立場の発言者が発言を行った場合には、会議において発言がしにくかったり発言チャンスを得られない弱い立場の発言者に発言の機会を与え、可能な限り会議の出席者間におけるコンセンサスを得ようとする努力とみなして、強い立場の発言者に余分の発言機会を与えるものである。
【００６５】
また、上で述べた所定の条件が、今回の発言者の今回の合計発言時間又は今回の発言者の今回の合計発言時間及び直前の他の発言者の発言時間が所定の時間より長いという条件を含むようにしてもよい。単に相づちや返事のみのような発言については会議におけるコンセンサス形成に大きな寄与がないためである。なお、強い立場の発言者の発言時間が短い場合にも、実際に弱い立場の出席者に発言を促しているとは言えない場合が多いので、除外するようにしても良い。
【００６６】
さらに、上で述べた管理テーブルには、出席者の識別子に対応付けて出席者名をさらに格納するようにしてもよい。さらに、本会議管理装置は、発言者のための出席者端末から受信した上記発言したことを表すデータに含まれる音声データに対して音声認識処理を実施し、音声認識処理結果を管理データ格納部に格納する音声認識処理手段をさらに有するようにしてもよい。このような場合には、上で述べた所定の条件が、直前の他の発言者についての音声認識処理結果中に今回の発言者の識別子に対応付けて管理テーブルに格納されている発言者名の少なくとも一部が含まれているという条件を含むようにしてもよい。
【００６７】
このように、弱い立場の発言者の名前を強い立場の発言者が指定している場合には、強い立場の発言者が意識して弱い立場の発言者に発言を求めて、会議の運営をより公平なものにしようとしていると考えられるためである。
【００６８】
さらに、上で述べた状態管理手段は、出席者端末（例えば発言者のための出席者端末又は他の出席者（ファシリテータ役出席者）の出席者端末）から、発言者の発言の目的を表すデータ（例えば実施の形態では、発言種別及び発言機能）をさらに受信した場合、会議進行テーブルに発言者の識別子に対応付けて発言の目的を表すデータを格納するようにしてもよい。このような場合には、上で述べた所定の条件が、直前の他の発言者についての発言の目的を表すデータが今回の発言者の発言を促すことを表すデータであり、今回の発言者についての発言の目的を表すデータが回答であることを示すデータであるという条件を含むようにしてもよい。
【００６９】
このように発言者に発言の目的を表すデータが得られれば、発言者の意図が把握しやすいので、会議運営の適正化に寄与しているか否かを容易に判断できる。
【００７０】
また、上で述べた状態管理手段が、管理テーブルにおいて立場を表すデータとして相対的に弱い立場を表すデータが格納されている出席者の出席者端末から会議における発言について賛否を表すデータを受信した場合、反対を表すデータ又は賛成を表すデータを送信してきた出席者端末の数を計数し、履歴データ格納部に格納するようにしてもよい。その場合、上で述べた所定の条件を満たすと判断された場合、履歴データ格納部に格納されている反対を表すデータを送信してきた出席者端末の最近の数がそれ以前の数より減少している又は履歴データ格納部に格納されている賛成を表すデータを送信してきた出席者端末の最近の数がそれ以前の数より増加しているか判断するようにしてもよい。そして、反対を表すデータを送信してきた出席者端末の最近の数がそれ以前の数より減少している又は履歴データ格納部に格納されている賛成を表すデータを送信してきた出席者端末の最近の数がそれ以前の数より増加していると判断した場合、管理テーブルにおける直前の他の発言者の発言回数を減ずる又は発言回数上限を増加させるようにしてもよい。
【００７１】
このように、会議の発言への賛同者を実質的に増加させるような、立場の弱い発言者の発言を促した、立場の強い発言者に対しては、より多くの発言を可能にするものである。これによって、よりコンセンサス形成に寄与するように会議運営を行わせることができるようになる。
【００７２】
さらに、上で述べた状態管理手段が、管理テーブルにおいて立場を表すデータとして相対的に弱い立場を表すデータが格納されている出席者の出席者端末から会議における発言について賛否を表すデータを受信するようにしてもよい。そして、反対を表すデータを送信してきた出席者端末の数が多数である場合又は賛成を表すデータを送信してきた出席者端末の数が少数である場合、管理テーブルにおいて立場を表すデータとして相対的に強い立場を表すデータが格納されている出席者の出席者端末に、発言を控えるように促すメッセージを表示させること、管理テーブルにおいて立場を表すデータとして相対的に弱い立場を表すデータが格納されている出席者の出席者端末に、発言を促すメッセージを表示させることのうち少なくともいずれかを実施するようにしてもよい。
【００７３】
例えば、会議における発言に否定的な状態であれば、より弱い立場の出席者からの発言を多くして不満が出ないような会議運営が必要であり、同様に強い立場の出席者からの発言を抑えて高圧的に弱い立場の出席者に結論を押しつけるような形にならないようにするものである。
【００７４】
なお、上で述べたような処理をコンピュータ・ハードウエアに実施させるためのプログラムを作成することができ、当該プログラムは、例えばフレキシブル・ディスク、ＣＤ−ＲＯＭ、光磁気ディスク、半導体メモリ、ハードディスク等のコンピュータ読み取り可能な記憶媒体又は記憶装置に格納される。なお、処理途中のデータについては、コンピュータのメモリ等の記憶装置に一時保管される。
【００７５】
以上の実施例を含む実施形態に関し、さらに以下の付記を開示する。
【００７６】
（付記１）
出席者の識別子と当該出席者の、会議における立場の強弱レベルを示すデータと当該出席者の、前記会議における発言回数及び発言回数上限とを格納する管理テーブルと、発言者の識別子と当該発言者の立場を示すデータと時刻とを時系列に格納する会議進行テーブルとを格納する管理データ格納部と、
各出席者のための出席者端末のうち発言者のための出席者端末から、前記発言者の識別子と当該発言者が発言したことを表すデータを受信し、前記発言者の識別子に対応付けて前記管理テーブルに格納されている前記発言者の立場を表すデータを読み出し、前記発言者の識別子と前記発言者の立場を表すデータと時刻とを前記会議進行テーブルに格納すると共に、前記管理テーブルにおいて前記発言者の発言回数を１増加させる状態管理手段と、
を有し、
前記状態管理手段は、
前記会議進行テーブルにおいて格納されている、今回の発言者の立場を表すデータが第１のレベルを表すデータであり、且つ前記今回の発言者の直前の他の発言者について格納されている、当該直前の他の発言者の立場を表すデータが前記第１のレベルより高いレベルを表すデータであることを含む所定の条件を満たすか否かを判断し、
前記所定の条件を満たすと判断された場合には、前記管理テーブルにおける前記直前の他の発言者の前記発言回数を減ずる
会議管理装置。
【００７７】
（付記２）
前記所定の条件が、前記今回の発言者の今回の合計発言時間又は前記今回の発言者の今回の合計発言時間及び前記直前の他の発言者の発言時間が所定の時間より長いという条件を含む
付記１記載の会議管理装置。
【００７８】
（付記３）
前記管理テーブルには、前記出席者の識別子に対応付けて出席者名をさらに格納しており、
前記発言者のための出席者端末から受信した前記発言したことを表すデータに含まれる音声データに対して音声認識処理を実施し、音声認識処理結果を前記管理データ格納部に格納する音声認識処理手段
をさらに有し、
前記所定の条件が、前記直前の他の発言者についての音声認識処理結果中に前記今回の発言者の識別子に対応付けて前記管理テーブルに格納されている発言者名の少なくとも一部が含まれているという条件を含む
付記１又は２記載の会議管理装置。
【００７９】
（付記４）
前記状態管理手段は、
前記出席者端末から、前記発言者の発言の目的を表すデータをさらに受信した場合、前記会議進行テーブルに前記発言者の識別子に対応付けて前記発言の目的を表すデータを格納し、
前記所定の条件が、
前記直前の他の発言者についての前記発言の目的を表すデータが前記今回の発言者の発言を促すことを表すデータであり、前記今回の発言者についての前記発言の目的を表すデータが回答であることを示すデータであるという条件を含む
付記１乃至３のいずれか１つ記載の会議管理装置。
【００８０】
（付記５）
前記状態管理手段が、
前記管理テーブルにおいて前記立場を表すデータとして相対的に弱い立場を表すデータが格納されている出席者の前記出席者端末から前記会議における発言について賛否を表すデータを受信した場合、反対を表すデータ又は賛成を表すデータを送信してきた出席者端末の数を計数し、履歴データ格納部に格納し、
前記所定の条件を満たすと判断された場合、前記履歴データ格納部に格納されている前記反対を表すデータを送信してきた出席者端末の最近の数がそれ以前の数より減少している又は前記履歴データ格納部に格納されている前記賛成を表すデータを送信してきた出席者端末の最近の数がそれ以前の数より増加しているか判断し、
前記反対を表すデータを送信してきた出席者端末の最近の数がそれ以前の数より減少している又は前記履歴データ格納部に格納されている前記賛成を表すデータを送信してきた出席者端末の最近の数がそれ以前の数より増加していると判断した場合、
前記管理テーブルにおける前記直前の他の発言者の前記発言回数を減ずる又は前記発言回数上限を増加させる
付記１乃至４のいずれか１つ記載の会議管理装置。
【００８１】
（付記６）
前記状態管理手段が、
前記管理テーブルにおいて前記立場を表すデータとして相対的に弱い立場を表すデータが格納されている出席者の前記出席者端末から前記会議における発言について賛否を表すデータを受信し、
反対を表すデータを送信してきた出席者端末の数が多数である場合又は賛成を表すデータを送信してきた出席者端末の数が少数である場合、
前記管理テーブルにおいて前記立場を表すデータとして相対的に強い立場を表すデータが格納されている出席者の前記出席者端末に、発言を控えるように促すメッセージを表示させること、前記管理テーブルにおいて前記立場を表すデータとして相対的に弱い立場を表すデータが格納されている出席者の前記出席者端末に、発言を促すメッセージを表示させることのうち少なくともいずれかを実施する
付記１乃至５のいずれか１つ記載の会議管理装置。
【００８２】
（付記７）
出席者の識別子と当該出席者の、会議における立場の強弱レベルを示すデータと当該出席者の、前記会議における発言回数及び発言回数上限とを格納する管理テーブルと、発言者の識別子と当該発言者の立場を示すデータと時刻とを時系列に格納する会議進行テーブルとを格納する管理データ格納部にアクセス可能なコンピュータにより実行される会議管理方法であって、
各出席者のための出席者端末のうち発言者のための出席者端末から、前記発言者の識別子と当該発言者が発言したことを表すデータを受信し、前記発言者の識別子に対応付けて前記管理テーブルに格納されている前記発言者の立場を表すデータを読み出し、前記発言者の識別子と前記発言者の立場を表すデータと時刻とを前記会議進行テーブルに格納すると共に、前記管理テーブルにおいて前記発言者の発言回数を１増加させるステップと、
前記会議進行テーブルにおいて格納されている、今回の発言者の立場を表すデータが第１のレベルを表すデータであり、且つ前記今回の発言者の直前の他の発言者について格納されている、当該直前の他の発言者の立場を表すデータが前記第１のレベルより高いレベルを表すデータであることを含む所定の条件を満たすか否かを判断するステップと、
前記所定の条件を満たすと判断された場合には、前記管理テーブルにおける前記直前の他の発言者の前記発言回数を減ずるステップと、
を含む会議管理方法。
【００８３】
（付記８）
出席者の識別子と当該出席者の、会議における立場の強弱レベルを示すデータと当該出席者の、前記会議における発言回数及び発言回数上限とを格納する管理テーブルと、発言者の識別子と当該発言者の立場を示すデータと時刻とを時系列に格納する会議進行テーブルとを格納する管理データ格納部にアクセス可能なコンピュータに、
各出席者のための出席者端末のうち発言者のための出席者端末から、前記発言者の識別子と当該発言者が発言したことを表すデータを受信し、前記発言者の識別子に対応付けて前記管理テーブルに格納されている前記発言者の立場を表すデータを読み出し、前記発言者の識別子と前記発言者の立場を表すデータと時刻とを前記会議進行テーブルに格納すると共に、前記管理テーブルにおいて前記発言者の発言回数を１増加させるステップと、
前記会議進行テーブルにおいて格納されている、今回の発言者の立場を表すデータが第１のレベルを表すデータであり、且つ前記今回の発言者の直前の他の発言者について格納されている、当該直前の他の発言者の立場を表すデータが前記第１のレベルより高いレベルを表すデータであることを含む所定の条件を満たすか否かを判断するステップと、
前記所定の条件を満たすと判断された場合には、前記管理テーブルにおける前記直前の他の発言者の前記発言回数を減ずるステップと、
を実行させるための会議管理プログラム。
【符号の説明】
【００８４】
１  ネットワーク    ３  会議支援サーバ    ５  出席者端末
５１  会議支援クライアント・プログラム    ５１１  ユーザインタフェース部
５１３  音声データ取得部    ５１５  通信部
３１  通信処理部    ３３  状態管理部    ３５  音声認識処理部
３７  管理データ格納部
【図１】
2010232887.tif 000003
【図２】
2010232887.tif 000004
【図３】
2010232887.tif 000005
【図４】
2010232887.tif 000006
【図５】
2010232887.tif 000007
【図６】
2010232887.tif 000008
【図７】
2010232887.tif 000009
【図８】
2010232887.tif 000010
【図９】
2010232887.tif 000011
【図１０】
2010232887.tif 000012
【図１１】
2010232887.tif 000013
【図１２Ａ】
2010232887.tif 000014
【図１２Ｂ】
2010232887.tif 000015
【図１３】
2010232887.tif 000016
【図１４】
2010232887.tif 000017